【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
所定の画像を反射型表示体に表示させる情報表示装置であって、
前記反射型表示体の周囲の照度を検出する照度検出手段と、前記照度検出手段で検出された照度に基づいて前記反射型表示体に表示されている画像の輝度を補正する輝度補正手段と、を備え、
前記輝度補正手段は、前記照度検出手段で検出された照度が所定照度以上であるときに、前記反射型表示体に表示されている画像の所定輝度以上の画素の輝度を前記表示されている画素の輝度より小さく補正するための輝度補正用テーブルを用いて補正することを特徴とする情報表示装置。
【請求項２】
前記輝度補正手段は、複数用意された輝度補正用テーブルから前記照度検出手段で検出された照度に応じた輝度補正用テーブルを選択し、その選択された輝度補正用テーブルに基づいて前記反射型表示体に表示されている画像の輝度を補正することを特徴とする請求項１に記載の情報表示装置。
【請求項３】
前記輝度補正手段は、前記照度検出手段で検出された照度が所定照度以下であるときに、前記反射型表示体に表示されている画像の所定輝度以下の画素の輝度を前記表示されている画素の輝度より小さく補正させる輝度補正用テーブルを用いて補正することを特徴とする請求項１又は２に記載の情報表示装置。
【請求項４】
前記反射型表示体に表示させる画像のラスタデータを生成するＣＰＵと、前記ＣＰＵで生成されたラスタデータを前記反射型表示体に表示させる表示制御装置と、を備え、
前記輝度補正手段は、前記ラスタデータ生成手段で生成されたラスタデータに含まれる輝度のデータを補正することを特徴とする請求項１から３のいずれか１項に記載の情報表示装置。
【請求項５】
前記反射型表示体に表示させる画像のラスタデータを生成するＣＰＵと、前記ＣＰＵで生成されたラスタデータを格納するＶＲＡＭと、前記ＶＲＡＭに格納されているラスタデータを前記反射型表示体に表示させる表示制御装置と、を備え、
前記輝度補正手段は、前記ＶＲＡＭに格納されているラスタデータに含まれる輝度のデータを補正することを特徴とする請求項１から３のいずれか１項に記載の情報表示装置。
【請求項６】
前記照度検出手段は、前記反射型表示体の周囲の少なくとも一部の照度を検出することを特徴とする請求項１から５のいずれか１項に記載の情報表示装置。
【請求項７】
所定の画像を表示する反射型表示体と、前記反射型表示体の周囲の照度を検出する照度検出手段と、前記照度検出手段で検出された照度に基づいて前記反射型表示体に表示されている画像の輝度を補正する輝度補正手段と、を備え、
前記輝度補正手段は、前記照度検出手段で検出された照度が所定照度以上であるときに、前記反射型表示体に表示されている画像の所定輝度以上の画素の輝度を前記表示されている画素の輝度より小さく補正するための輝度補正用テーブルを用いて補正することを特徴とする情報端末。
【手続補正２】
【補正対象書類名】明細書
【補正対象項目名】発明の名称
【補正方法】変更
【補正の内容】
【発明の名称】情報表示装置及び情報端末
【手続補正３】
【補正対象書類名】明細書
【補正対象項目名】０００４
【補正方法】変更
【補正の内容】
【０００４】
この発明は、上記従来の技術の未解決の課題を解決することを目的としてなされたものであって、種々の照度環境下において、表示対象である画像の視認性を向上することができる情報表示装置及び情報端末を提供することを課題とする。
【手続補正４】
【補正対象書類名】明細書
【補正対象項目名】０００５
【補正方法】変更
【補正の内容】
【０００５】
上記課題を解決するために、第１の発明である情報表示装置は、所定の画像を反射型表示体に表示させる情報表示装置であって、前記反射型表示体の周囲の照度を検出する照度検出手段と、前記照度検出手段で検出された照度に基づいて前記反射型表示体に表示されている画像の輝度を補正する輝度補正手段と、を備え、前記輝度補正手段は、前記照度検出手段で検出された照度が所定照度以上であるときに、前記反射型表示体に表示されている画像の所定輝度以上の画素の輝度を前記表示されている画素の輝度より小さく補正するための輝度補正用テーブルを用いて補正することを特徴とする。
【手続補正５】
【補正対象書類名】明細書
【補正対象項目名】０００６
【補正方法】変更
【補正の内容】
【０００６】
この第１の発明によれば、周囲の照度に基づいて、反射型表示体に表示されている画像の輝度を補正するときに、各照度に適した補正を行うことで、種々の環境下において、表示対象である画像の視認性を向上することができる。例えば、反射型表示体の周囲の照度が著しく大きく、表示画面に入射する光量が著しく大きい環境下にあるときに、表示対象である画像の高輝度部分による反射光の光量を小さくし、表示対象である画像の視認性を向上することができる。
【手続補正６】
【補正対象書類名】明細書
【補正対象項目名】００１１
【補正方法】変更
【補正の内容】
【００１１】
また、第３の発明である情報表示装置では、前記輝度補正手段は、前記照度検出手段で検出された照度が所定照度以下であるときに、前記反射型表示体に表示されている画像の所定輝度以下の画素の輝度を前記表示されている画素の輝度より小さく補正させる輝度補正用テーブルを用いて補正することを特徴とする。
【手続補正７】
【補正対象書類名】明細書
【補正対象項目名】００１２
【補正方法】変更
【補正の内容】
【００１２】
この第３の発明によれば、例えば、反射型表示体の周囲の照度が小さく、表示画面に入射する光量が小さい環境下にあるときに、表示対象である画像の中間調部分の輝度を小さくすることができる。そして、表示対象である画像に含まれている文字の輪郭が中間調とされているときには、その輪郭の輝度を小さくし、輪郭のコントラストが大きい文字を表示させることで、表示対象である画像の視認性を向上することができる。
【手続補正８】
【補正対象書類名】明細書
【補正対象項目名】００１３
【補正方法】変更
【補正の内容】
【００１３】
さらに、第４の発明である情報表示装置では、前記反射型表示体に表示させる画像のラスタデータを生成するＣＰＵと、前記ＣＰＵで生成されたラスタデータを前記反射型表示体に表示させる表示制御装置と、を備え、前記輝度補正手段は、前記ラスタデータ生成手段で生成されたラスタデータに含まれる輝度のデータを補正することを特徴とする。
【手続補正９】
【補正対象書類名】明細書
【補正対象項目名】００１４
【補正方法】変更
【補正の内容】
【００１４】
この第４の発明によれば、例えば、ラスタデータをＶＲＡＭに格納し、その格納されたラスタデータを補正する方法に比べ、情報表示装置の製造コストを抑えることができる。
【手続補正１０】
【補正対象書類名】明細書
【補正対象項目名】００１５
【補正方法】変更
【補正の内容】
【００１５】
また、第５の発明である情報表示装置では、前記反射型表示体に表示させる画像のラスタデータを生成するＣＰＵと、前記ＣＰＵで生成されたラスタデータを格納するＶＲＡＭと、前記ＶＲＡＭに格納されているラスタデータを前記反射型表示体に表示させる表示制御装置と、を備え、前記輝度補正手段は、前記ＶＲＡＭに格納されているラスタデータに含まれる輝度のデータを補正することを特徴とする
この第５の発明によれば、例えば、ラスタデータを、ＶＲＡＭに格納することなく、直接に補正してそのまま表示する方法に比べ、ＣＰＵの負荷を小さくすることができる。
【手続補正１１】
【補正対象書類名】明細書
【補正対象項目名】００５２
【補正方法】変更
【補正の内容】
【００５２】
１は携帯型情報端末、２はＣＰＵ、３はＲＡＭ、４は記憶装置、５は入力装置、６は表示制御装置、７はＶＲＡＭ、８は表示装置、９は照度センサ、１０は割り込み制御装置